(57)【要約】【課題】エコー・キャンセラ動作が誤適応しエコーが大きくなった場合、有害なエコー信号と受信の対象である有効な受話信号の区別がつかなくなるブロッキング現象が発生する。ブロッキング現象が発生すると、エコー信号を受話信号と誤認し、エコー・キャンセラの再適応動作が進行しなくなる。【解決手段】  エコー・キャンセラ制御部20が受話有音と判定し、適応フィルタ7の適応計算が停止しているときに、送話有音状態が続くと、結合量推定値が実際の結合量より小さくなっている可能性がある。すなわち、送話有音状態が続いているにもかかわらず、適応計算が停止しているから、結合量は小さく、十分にエコー消去されていると誤判断してしまう場合がある。そこで、送話有音の継続時間が長くなるのに応じて、結合量推定値を徐々に大きくし、適応計算の最適値に近づけるように制御するようにした。  【選択図】図１
2006108826.tif 000002
【特許請求の範囲】
【請求項１】
送話信号（ｘ）が、受話信号（ｙ）に回り込みエコーとなり得る系で、前記送話信号（ｘ）と誤差信号（ｅ）を受けて回り込み経路の伝達関数を推定し、適応フィルタ制御信号（29）の指示で適応計算して前記エコーを打ち消すための擬似エコー信号（ｙ’）を作成するための適応フィルタ処理（7）をし、
前記受話信号（ｙ）から前記擬似エコー信号（ｙ’）を減算して前記誤差信号（ｅ）を得るための減算処理（9）をし、
前記送話信号（ｘ）の電力（Ｐｘ）を所定の送話有音判定しきい値（Ｐｔｈ2）と比較して、前記送話信号（ｘ）の電力（Ｐｘ）が前記所定の送話有音判定しきい値（Ｐｔｈ2）よりも小さい場合に送話無音と判定し、前記送話信号（ｘ）の電力（Ｐｘ）が前記所定の送話有音判定しきい値（Ｐｔｈ2）よりも大きい場合に送話有音と判定して、送話有無判定信号（52）を出力するための送話有無判定処理（32）をし、
前記送話信号（ｘ）の電力（Ｐｘ）と結合量推定値（ｋ1）と前記誤差信号（ｅ）の電力（Ｐｅ）から前記受話信号（ｙ）の有無を判定して、受話有音および受話無音の各状態を表す受話有無判定信号（53）を出力するための受話有無判定処理（33）をし、
前記受話信号（ｙ）の電力（Ｐｙ）と前記誤差信号（ｅ）の電力（Ｐｅ）を比較してエコー消去状態を判定するためのエコー消去状態判定処理（35）をし、
前記エコー消去状態と判定されたときの前記送話信号（ｘ）と前記誤差信号（ｅ）の結合量を測定するための結合量測定処理（36）をし、
前記測定された結合量（56）および前記受話有音中に前記送話有音となった状態を示す受話有音回避指示信号（54）を受けて前記結合量推定値（ｋ1）を求めるための結合量推定処理（37）をし、
前記送話有音と前記受話有音が一定時間以上継続したときに前記適応フィルタ処理（7）における適応計算が有効ではなくなったとして、強いエコーを受話有音と誤判定するブロッキング現象を回避するための前記受話有音回避指示信号（54）を出力するブロッキング回避処理（34）をし、
前記送話有無判定信号（52）および前記受話有無判定信号（53）を受けて、前記送話有無判定信号（52）が送話有音を、前記受話有無判定信号（53）が受話無音を同時に示している期間において前記適応計算をするように指示する前記適応フィルタ制御信号（29）を出力するための適応フィルタ制御処理（31）をする
エコー・キャンセラ制御方法。
【請求項２】
前記受話有無判定処理（33）において、
前記送話信号（ｘ）の電力（Ｐｘ）と前記結合量推定値（ｋ1）との積である受話推定積（ｋ1×Ｐｘ）を誤差推定値（ｅｓｔＰｅ）として誤差推定信号（47）により出力するための誤差信号推定処理（42）をし、
前記誤差推定信号（47）の誤差推定値（ｅｓｔＰｅ）と前記誤差信号（ｅ）の電力（Ｐｅ）を比較して、前記誤差信号（ｅ）の電力（Ｐｅ）が前記誤差推定値（ｅｓｔＰｅ）よりも大きいとき（Ｐｅ＞ｅｓｔＰｅ）受話有音と推定し、前記誤差信号（ｅ）の電力（Ｐｅ）が前記誤差推定値（ｅｓｔＰｅ）よりも大きくはないとき（Ｐｅ≦ｅｓｔＰｅ）受話無音と推定して、前記受話有無判定信号（53）を出力するための受話有無推定処理（43）をする
請求項1のエコー・キャンセラ制御方法。
【請求項３】
前記結合量推定処理（37）において、
前記受話有音回避指示信号（54）を受けて、前記送話有音の状態が一定時間以上続いたときには、前記結合量推定値（ｋ1）を徐々に大きくする
請求項1のエコー・キャンセラ制御方法。
【請求項４】
送話信号（ｘ）が、受話信号（ｙ）に回り込みエコーとなり得る系で、前記送話信号（ｘ）と誤差信号（ｅ）を受けて回り込み経路の伝達関数を推定し、適応フィルタ制御信号（29）の指示で適応計算して前記エコーを打ち消すための擬似エコー信号（ｙ’）を作成するための適応フィルタ手段（7）と、
前記受話信号（ｙ）から前記擬似エコー信号（ｙ’）を減算して前記誤差信号（ｅ）を得るための減算手段（9）と、
前記送話信号（ｘ）の電力（Ｐｘ）を所定の送話有音判定しきい値（Ｐｔｈ2）と比較して、前記送話信号（ｘ）の電力（Ｐｘ）が前記所定の送話有音判定しきい値（Ｐｔｈ2）よりも小さい場合に送話無音と判定し、前記送話信号（ｘ）の電力（Ｐｘ）が前記所定の送話有音判定しきい値（Ｐｔｈ2）よりも大きい場合に送話有音と判定して、送話有無判定信号（52）を出力するための送話有無判定手段（32）と、
前記送話信号（ｘ）の電力（Ｐｘ）と結合量推定値（ｋ1）と前記誤差信号（ｅ）の電力（Ｐｅ）から前記受話信号（ｙ）の有無を判定して、受話有音および受話無音の各状態を表す受話有無判定信号（53）を出力するための受話有無判定手段（33）と、
前記受話信号（ｙ）の電力（Ｐｙ）と前記誤差信号（ｅ）の電力（Ｐｅ）を比較してエコー消去状態を判定するためのエコー消去状態判定手段（35）と、
前記エコー消去状態と判定されたときの前記送話信号（ｘ）と前記誤差信号（ｅ）の結合量を測定するための結合量測定手段（36）と、
前記測定された結合量（56）および前記受話有音中に前記送話有音となった状態を示す受話有音回避指示信号（54）を受けて前記結合量推定値（ｋ1）を求めるための結合量推定手段（37）をし、
前記送話有音と前記受話有音が一定時間以上継続したときに前記適応フィルタ手段（7）における適応計算が有効ではなくなったとして、強いエコーを受話有音と誤判定するブロッキング現象を回避するための前記受話有音回避指示信号（54）を出力するブロッキング回避手段（34）と、
前記送話有無判定信号（52）および前記受話有無判定信号（53）を受けて、前記送話有無判定信号（52）が送話有音を、前記受話有無判定信号（53）が受話無音を同時に示している期間において前記適応計算をするように指示する前記適応フィルタ制御信号（29）を出力するための適応フィルタ制御手段（31）とを含む
エコー・キャンセラ制御装置。
【請求項５】
前記受話有無判定手段（33）が、
前記送話信号（ｘ）の電力（Ｐｘ）と前記結合量推定値（ｋ1）との積である受話推定積（ｋ1×Ｐｘ）を誤差推定値（ｅｓｔＰｅ）として誤差推定信号（47）により出力するための誤差信号推定手段（42）と、
前記誤差推定信号（47）の誤差推定値（ｅｓｔＰｅ）と前記誤差信号（ｅ）の電力（Ｐｅ）を比較して、前記誤差信号（ｅ）の電力（Ｐｅ）が前記誤差推定値（ｅｓｔＰｅ）よりも大きいとき（Ｐｅ＞ｅｓｔＰｅ）受話有音と推定し、前記誤差信号（ｅ）の電力（Ｐｅ）が前記誤差推定値（ｅｓｔＰｅ）よりも大きくはないとき（Ｐｅ≦ｅｓｔＰｅ）受話無音と推定して、前記受話有無判定信号（53）を出力するための受話有無推定手段（43）とを含む
請求項4のエコー・キャンセラ制御装置。
【請求項６】
前記結合量推定手段（37）が、
前記受話有音回避指示信号（54）を受けて、前記送話有音の状態が一定時間以上続いたときには、前記結合量推定値（ｋ1）を徐々に大きくする
請求項4のエコー・キャンセラ制御装置。
【発明の詳細な説明】
【技術分野】
【０００１】
本発明は、エコー・キャンセラ制御方法と装置に関する。具体的には、音声通話装置において、回り込み経路が存在する系で発生するエコーを除去するための適応フィルタを用いた改良されたエコー・キャンセラの制御方法と装置を提供せんとするものである。
【背景技術】
【０００２】
音声通話装置において、通話音声の品質を劣化させる要因の１つに、送話者の音声が受話側に回り込み送話者に耳障りに聞こえるエコー現象がある。この現象に対する解決策として、一般に、エコー・キャンセラが用いられる。このエコー・キャンセラの動作について説明する。
【０００３】
図7には、従来の回路構成が示されている。送話路入力端子1には送話信号ｘが印加される。送話信号ｘは適応フィルタ7およびエコー・キャンセラ制御部20Ｂに印加されて送話路出力端子2を介してハイブリッド回路である2線4線変換回路8により2線回線18側に出力される。2線回線18側からの信号は2線4線変換回路8により受話信号として受話路入力端子4に現れる。それと同時に、送話信号ｘの一部が2線4線変換回路8で回り込み、受話路入力端子4に現れる。受話信号ｙには、2線回線18側からの信号だけではなく、送話信号ｘの一部の回り込みも加算されたものとなって現れる。この回り込みによる送話信号ｘの成分が大きい場合には、送話者の声がエコーとなって送話者に戻ってくるから耳障りとなる。
【０００４】
そこで、受話信号ｙから回り込みによる送話信号ｘの成分（回り込み成分）を除去するために減算器9が用いられる。すなわち、受話信号ｙから回り込みによる送話信号ｘの成分を除去したならば、2線回線18側から送られてくる信号を得ることができる。この回り込みによる送話信号ｘの成分（回り込み成分）を擬似したものが擬似エコー信号ｙ’である。擬似エコー信号ｙ’は、送話信号ｘから適応フィルタ7によって作成される。仮に、擬似エコー信号ｙ’が回り込みによる送話信号ｘの成分（回り込み成分）にほぼ等しいならば、受話路出力端子5には、回り込み成分のほとんど無い誤差信号ｅが得られる。すなわち、誤差信号ｅは、2線回線18側から送られてくる信号に近似したものとなる。この場合には、いわゆるエコー現象は発生しない。
【０００５】
この回り込み成分を適応フィルタ7において推定し、適応フィルタ制御信号29Ｂを適応フィルタ7に印加して最も適応した擬似エコー信号ｙ’が作成される。エコー・キャンセラ制御部20Ｂには、電力計算器71、結合量測定器72および適応フィルタ制御器31Ｂが含まれている。電力計算器71は、送話信号ｘ、受話信号ｙおよび誤差信号ｅのそれぞれの電力Ｐｘ，ＰｙおよびＰｅを算出し、電力計算値信号76として出力する。この電力計算値信号76を受けて、結合量測定器72は回り込み経路の結合量を測定する。すなわち、2線4線変換回路8における送話信号ｘのうちのどれだけが受話信号ｙに含まれているかを、送話信号電力Ｐｘ，受話信号電力Ｐｙおよび誤差信号電力Ｐｅを表す電力計算値信号76から測定して、結合量測定値信号78として出力する。
【０００６】
適応フィルタ制御器31Ｂは、電力計算値信号76と結合量測定値信号78を受けて、適応フィルタ7で行われる適応計算の実行や停止を制御するための適応フィルタ制御信号29Ｂを出力する。適応フィルタ7は適応フィルタ制御信号29Ｂの指示を受けて送話信号ｘと誤差信号ｅから適応計算をし、擬似エコー信号ｙ’を出力する。擬似エコー信号ｙ’は減算器9に印加され、受話信号ｙから減算されてエコーを除去した誤差信号ｅが得られる。
【０００７】
適応フィルタ7は、適応フィルタ制御信号29Ｂの指示により、回り込み経路のインパルス応答（回り込み経路伝達特性）の推定値を適応計算により算出し、この推定値と送話信号ｘとのたたみこみ演算を実行し、擬似エコー信号ｙ’を生成する。適応フィルタ7における適応計算は、外乱によるフィルタ係数の乱れを防ぐため、送話有音かつ受話無音の、いわゆるシングル・トーク時のみにおいて実行されることが望ましい。
【０００８】
そこで適応フィルタ制御器31Ｂでは、送話信号ｘの有音あるいは無音（送話信号電力Ｐｘが所定値よりも大きいか否か）および受話信号ｙの有音あるいは無音（受話信号電力Ｐｙが所定値よりも大きいか否か）を判定し、その結果を適応フィルタ制御信号29Ｂとして出力し、適応フィルタ7における適応計算の実行あるいは停止を制御している。この判定は、電力計算値信号76に含まれた送話信号電力Ｐｘ，受話信号電力Ｐｙおよび誤差信号電力Ｐｅを比較することにより行われる。
【０００９】
適応フィルタ制御器31Ｂにおける受話有音あるいは送話無音判定について説明する。
（ｉ）  受話有音判定
受話信号電力Ｐｙが、所定の受話有音判定しきい値Ｐｔｈ1以上であるとき、すなわち、式（1）の条件を満たすときは、受話有音と判定する。
Ｐｙ＞Ｐｔｈ1              （1）
結合量測定値信号78から得た結合量推定値ｋ1と送話信号電力Ｐｘとを用いて推定した推定誤差信号電力ｅｓｔＰｅ（＝ｋ1×Ｐｘ）よりも実測した誤差信号電力Ｐｅが大きいとき、すなわち、式（2）の条件を満たすときは、受話有音と判定する。
Ｐｅ＞ｋ1×Ｐｘ          （2）
（ｉｉ）  送話無音判定
送話信号電力Ｐｘが所定の送話有音判定しきい値Ｐｔｈ2以下であるとき、すなわち、式（3）の条件を満たすときは、送話無音と判定する。
Ｐｘ＜Ｐｔｈ2                （3）
【００１０】
前記の式（1）〜（3）のいずれかの条件を満たすときは、適応フィルタ制御器31Ｂは適応フィルタ制御信号29Ｂにより、適応フィルタ7における適応計算を中止する。いずれの条件も満たさないとき、すなわち、送話有音かつ受話無音の送話シングル・トーク時には、適応フィルタ制御器31Ｂは適応フィルタ制御信号29Ｂにより、適応フィルタ7における適応計算を実行させる。
【００１１】
エコーの発生を防止するエコー・キャンセラ動作が未適応状態にあるときには、適応フィルタ7において積極的に適応計算を実行し、適応計算を進めてインパルス応答を速やかに収束させる必要がある。未適応状態にあるときには、送話信号ｘと誤差信号ｅとの間の結合が大きく、誤差信号ｅに含まれる送話信号ｘの成分が大きいと推定されるから、結合量推定値ｋ1を大きく設定し、式（2）による受話有音判定の条件を厳しくし、適応計算を停止しないようにする。
【００１２】
エコー・キャンセラ動作が十分に適応したら適応計算を停止してもよいが、十分なエコー消去性能を得るためには、誤適応（過適応）しない範囲で適応計算を継続し、インパルス応答の微修正を続けたほうがよい。しかし、適応計算を継続すると、収束したインパルス応答がダブル・トーク（送話者と受話者、あるいは、会議通話中の複数の話者が同時に発声すること）などによって乱れる可能性がある。そこで、ダブル・トーク時に適応計算を停止するために受話信号ｙの有音判定を正確に実行する必要がある。そこで、受話有音判定に用いる式（2）の結合量推定値ｋ1は、推定値ではなく結合量測定器72により実測した結合量を用いる場合もある。
【００１３】
結合量測定器72では、正確な結合量を測定するために、初めに受話信号電力Ｐｙと誤差信号電力Ｐｅとの比較によりエコー消去量を測定し、十分なエコー消去量（受話信号電力Ｐｙと誤差信号電力Ｐｅとの差が大きい）が得られているときに、送話信号電力Ｐｘと誤差信号電力Ｐｅとを比較して結合量を測定する。結合量推定値ｋ1は、測定した結合量にマージンを加えた値で更新される。
【００１４】
特許文献１には、完全なスイッチングをすることなく同時通話（ダブル・トーク）を可能とし、かつ特定話者の通話路に損失量が傾くことのないボイス・スイッチを設け、増幅量を大きくとれる電話会議装置が開示されている。
特許文献2には、各種の通話状態をノイズの存在に拘わらず高精度に判定でき、エコー・キャンセル精度を向上できるエコー・キャンセラが開示されている。そこでは、送話信号線上の信号の自己相関に基づいてダブル・トーク状態などを検出している。
【００１５】
特許文献3には、指向性マイクロフォンを使用せず、ノイズの発生場所による影響を受けないエコー・キャンセラが開示されている。そこでは、受話状態またはダブル・トーク状態のときに残差信号ｅの誤差を推定し、誤差を最小にするようにフィルタ係数を最適に更新制御している。
【特許文献１】特開平6-189004号公報
【特許文献２】特開平6-13940号公報
【特許文献３】特開平6-22025号公報
【発明の開示】
【発明が解決しようとする課題】
【００１６】
受話信号電力Ｐｙ、誤差信号電力Ｐｅおよび送話信号電力Ｐｘの比較では、送話信号および受話信号の有音か無音かの絶対的な判定はできない。インパルス応答が一応収束した時点で、さらに修正係数を小さくして適応計算し、インパルス応答の変化を小さくしたとしても、適応計算を継続している限り、ダブル・トークが継続した場合には、誤適応は避けられないという問題点があった。
【００１７】
エコー・キャンセラ動作が誤適応しエコーが大きくなった場合、式（2）による受話有音判定では、インパルス応答が十分収束し、結合量が極めて小さいときの結合量推定値ｋ1を用いているため、送話信号電力Ｐｘから推定した誤差信号電力ｅｓｔＰｅよりも実測した誤差信号電力Ｐｅの方が大きくなり、有害なエコー信号と受信の対象である有効な受話信号の区別がつかなくなるブロッキング現象が発生する。ブロッキング現象が発生すると、エコー信号を受話信号と誤認し、受話有音と誤判定してしまう場合が発生する。受話有音の場合には適応計算が停止し、誤適応してしまったエコー・キャンセラの再適応動作が進行しなくなり、通話不能となる解決されなければならない課題があった。
【課題を解決するための手段】
【００１８】
式（2）により受話有音と判定し適応計算が停止しているときに、送話有音状態が続くと、結合量推定値ｋ1が実際の結合量より小さくなっている可能性がある。すなわち、送話有音状態が続いているにもかかわらず、適応計算が停止しているから、結合量は小さく、十分にエコー消去されていると誤判断してしまう場合がある。この事態を避けるために、送話有音の継続時間が長くなるのに応じて、結合量推定値ｋ1を徐々に大きくし、適応計算の最適値に近づけるように回路構成した。  
【００１９】
受話有音と判定されている最中に送話有音となるのは、ダブル・トーク状態かあるいはブロッキング現象が発生している場合である。ダブル・トーク（送話者と受話者、あるいは、会議通話中の複数の話者が同時に発声する）状態は、一般に長時間継続することはないと考えられるから、一定時間継続して受話有音かつ送話有音と判定されることが何回か発生するならばブロッキング現象が発生している可能性が大きいものと判断し、一定時間継続して受話有音かつ送話有音と判定される事態が発生するごとに結合量推定値ｋ1を徐々に大きくし、受話音の判定を徐々に厳しくして、適応計算を継続するような構成にした。
【００２０】
ダブル・トーク状態で受話有音かつ送話有音と判定された場合は、結合量推定値ｋ1を徐々に大きくすることにより適応計算が実行されるから、その過程でエコー・キャンセラの誤適応動作が発生することもあるが、ダブル・トーク状態が解消して送話シングル・トーク状態になったときに、誤適応により一時的にエコーが大きくなる場合が発生したとしても、結合量推定値ｋ1も大きいために、ブロッキング現象は発生せず速やかに再適応する。ブロッキング現象が発生して、受話有音かつ送話有音と判定されても、結合量推定値ｋ1が最適な値に達すると再適応する。
【００２１】
適応動作の初期において、結合量推定値ｋ1を推定値から実測値に更新する過程では、エコー消去状態に応じて結合量推定値ｋ1を徐々に小さくし、十分なエコー消去量が得られた後、実測値を採用することも可能である。結合量推定値ｋ1を徐々に小さくしていく過程で各種電力値のゆらぎによりエコー消去量が実際よりも大きく算出されることで結合量推定値ｋ1が一時的に小さくなり過ぎることもあり得るが、この場合も、結合量推定値ｋ1は徐々に大きくなり、最適な値に達して再適応する。
【発明の効果】
【００２２】
エコーが十分に消去されている状態における結合量を用いた受話有音検出では、ダブル・トークなどで誤適応してエコーが大きくなってブロッキング現象を起こしてしまう。一旦ブロッキング現象を起こしてしまうと、エコー信号と受話信号の区別がつかなくなり、送話信号の回り込み成分のみを検出することができず、再適応動作は困難となる。そこで本発明では、ブロッキング現象の発生を推測し、受話有音検出に用いる結合量を徐々に大きくして結合量の最適値を求め、ブロッキング現象を抑えてエコー・キャンセラを速やかに再適応させることができる。
【発明を実施するための最良の形態】
【００２３】
受話有音と判定し適応計算が停止しているときに、送話有音状態が続くと、結合量推定値ｋ1が実際の結合量より小さくなっている可能性がある。そこで、送話有音の継続時間が長くなるのに応じて、結合量推定値ｋ1を徐々に大きくし、適応計算の最適値に近づけるようにした。受話有音と判定されている最中に送話有音となるのは、ダブル・トーク状態かあるいはブロッキング現象が発生している場合である。ダブル・トーク状態は、一般に長時間は継続する事はないと考えられるから、一定時間継続して受話有音かつ送話有音と判定されることが何回か発生するならばブロッキング現象が発生している可能性が大きいものと判断し、一定時間継続して受話有音かつ送話有音と判定される事態が発生するごとに結合量推定値ｋ1を徐々に大きくし、受話音の判定を徐々に厳しくして、適応計算を継続するような構成にした。
【００２４】
ダブル・トーク状態で受話有音かつ送話有音と判定された場合は、結合量推定値ｋ1を徐々に大きくすることにより適応計算が実行されるから、その過程でエコー・キャンセラの誤適応動作が発生することもあるが、ダブル・トーク状態が解消して送話シングル・トーク状態になったときに、誤適応により一時的にエコーが大きくなる場合が発生したとしても、結合量推定値ｋ1も大きいために、ブロッキング現象は発生せず速やかに再適応する。ブロッキング現象が発生して、受話有音かつ送話有音と判定されても、結合量推定値ｋ1が徐々に大きくなり、最適な値に達すると再適応する。
【実施例１】
【００２５】
図１は、本願発明の実施例1の回路構成を示している。ここで、図7に示した従来例に対応する要素については対応する記号を付した。送話路入力端子1には送話信号ｘが印加される。送話信号ｘは適応フィルタ7およびエコー・キャンセラ制御部20に印加されて送話路出力端子2を介してハイブリッド回路である2線4線変換回路8により2線回線18側に出力される。2線回線18側からの信号は2線4線変換回路8により受話信号として受話路入力端子4に現れる。それと同時に、送話信号ｘの一部が2線4線変換回路8で回り込み受話路入力端子4に現れる。受話信号ｙには、2線回線18側からの信号に送話信号ｘの一部の回り込みも加算されたものとなって現れる。この回り込みによる送話信号ｘの成分が大きい場合には、送話者の声がエコーとなって送話者に戻ってくるから耳障りとなる。
【００２６】
そこで、受話信号ｙから回り込みによる送話信号ｘの成分（回り込み成分）を除去するために減算器9が用いられる。すなわち、受話信号ｙから回り込みによる送話信号ｘの成分を除去したならば、2線回線18側から送られてくる信号を得ることができる。この回り込みによる送話信号ｘの成分（回り込み成分）を擬似したものが擬似エコー信号ｙ’である。擬似エコー信号ｙ’は、送話信号ｘから適応フィルタ7によって作成される。適応フィルタ7は、送話信号ｘと誤差信号ｅを受けて回り込み経路の伝達関数を推定し、適応フィルタ制御信号29の指示で適応計算してエコーを打ち消すための擬似エコー信号ｙ’を作成している。
【００２７】
仮に、擬似エコー信号ｙ’が回り込みによる送話信号ｘの成分（回り込み成分）にほぼ等しいならば、受話路出力端子5には、回り込み成分のほとんど無い誤差信号ｅが得られる。すなわち、受話有音時の誤差信号ｅは、2線回線18側から送られてくる信号に近似したものとなる。この場合には、いわゆるエコー現象は発生しない。この回り込み成分を適応フィルタ7において推定し、適応フィルタ制御信号29を適応フィルタ7に印加して最も適応した擬似エコー信号ｙ’が作成される。
【００２８】
図2には、図1の重要な構成要素であるエコー・キャンセラ制御部20の内部の詳細な回路構成を示している。送話有無判定器32は、送話信号ｘの電力Ｐｘを所定の送話有音判定しきい値Ｐｔｈ2と比較して、送話信号ｘの電力Ｐｘが所定の送話有音判定しきい値Ｐｔｈ2よりも小さい場合に（Ｐｘ＜Ｐｔｈ2）送話無音、大きい場合に送話有音と判定して送話有無判定信号52を適応フィルタ制御器31およびブロッキング回避器34に対して出力する。
【００２９】
受話有無判定器33は、送話信号ｘ、結合量推定値信号ｋ1、誤差信号ｅを受けて受話信号ｙの有無を判定して受話有無判定信号53を適応フィルタ制御器31およびブロッキング回避器34に対して出力する。ブロッキング回避器34は、送話有無判定信号52および受話有無判定信号53とを受けて、強いエコーを受話有音と誤判定するブロッキング現象を回避するための受話有音回避指示信号54を結合量推定器37に対して出力する。ここで受話有音回避指示信号54は、適応フィルタ7における適応計算が有効ではなくなる（誤適応、又は、適応はずれする）場合を示している。
【００３０】
エコー消去状態判定器35は、受話信号ｙの電力Ｐｙと誤差信号ｅの電力Ｐｅを比較してエコー消去状態を判定し、エコー消去状態判定信号55を結合量推定器36に対して出力している。結合量測定器36は、エコー消去状態と判定されたときの送話信号ｘと誤差信号ｅの結合量を測定して、結合量測定値信号56を結合量推定器37に対して出力している。結合量推定器37は、結合量測定値信号56により示された測定された結合量から、受話有音回避指示信号54の内容を配慮して結合量推定値ｋ1を求めて、結合量推定値信号ｋ1として受話有無判定器33に対して出力する。
【００３１】
適応フィルタ制御器31は、送話有無判定信号52および受話有無判定信号53を受けて、送話有無判定信号52が送話有音を、受話有無判定信号53が受話無音を同時に示している期間において適応フィルタ7における適応計算をするように指示する適応フィルタ制御信号29を出力する。
【００３２】
図3には、図2の構成要素である受話有無判定器33の内部の詳細な回路構成を示している。そこには、誤差信号推定器42および受話有無推定器43が含まれている。誤差信号推定器42は送話信号ｘと結合量推定値信号ｋ1を受けて、送話信号電力Ｐｘと結合量推定値ｋ1との積である受話推定積（ｋ1×Ｐｘ）を誤差推定値（ｅｓｔＰｅ）として誤差推定信号47により受話有無推定器43に対して出力している。ここで、
ｅｓｔＰｅ＝（ｋ1×Ｐｘ）
である。
【００３３】
受話有無推定器43は、誤差推定信号47の誤差推定値ｅｓｔＰｅと誤差信号ｅの電力Ｐｅを比較して、受話有音中の適応動作を回避するべく、誤差信号ｅの電力Ｐｅが誤差推定値ｅｓｔＰｅよりも大きいとき（Ｐｅ＞ｅｓｔＰｅ）受話有音と推定し、誤差信号ｅの電力Ｐｅが誤差推定値ｅｓｔＰｅよりも大きくはないとき（Ｐｅ≦ｅｓｔＰｅ）受話無音と推定して、受話有無判定信号53を適応フィルタ制御器31に対して出力する。
【００３４】
図4ないし図6には、図1ないし図3に示した回路構成の動作の流れを表すフローチャートが示されている。動作を開始すると、式（1）を用いて受話信号電力Ｐｙがしきい値以下であることの判定を受話有無判定器33において行う（Ｓ1、図4）。受話信号電力Ｐｙがしきい値以下であれば（Ｓ1Ｙ）、式（2）を用いて受話有音かそれとも受話信号が無いかの判定をする。受話信号が無ければ（Ｓ2Ｎ）、式（3）を用いて送話信号電力Ｐｘが所定のしきい値Ｐｔｈ2以上であるか否かの判定を送話有無判定器32において行う（Ｓ3）。
【００３５】
送話信号電力Ｐｘが所定のしきい値Ｐｔｈ2以上でなければ（Ｐｘ＜Ｐｔｈ2）（Ｓ3Ｎ）、送話無音状態であるから送話有無判定器32は送話有無判定信号52により適応フィルタ制御器31に通知し、適応フィルタ7における適応計算を停止させて、適応計算は終了する（Ｓ4）。  送話信号電力Ｐｘが所定のしきい値Ｐｔｈ2以上ならば（Ｐｘ≧Ｐｔｈ2）（Ｓ3Ｙ）、受話無音かつ送話有音の、いわゆるシングル・トーク状態にあるので、適応フィルタ制御器31は適応フィルタ7に指示して適応計算を実行させる（Ｓ5）。
【００３６】
つぎに、エコー消去量が消去量基準値ｋ2以上であるか否かの判定をエコー消去状態判定器35において実行する（Ｓ6、図5）。この判定は、受話信号ｙの電力Ｐｙと誤差信号ｅの電力Ｐｅの比を算出して、それが消去量基準値ｋ2以上であるか否かを式（4）により調べる。
Ｐｙ／Ｐｅ＞ｋ2            （4）
式（4）を満足している場合は、エコー消去量が十分であることを示している。すなわち、受話無音（Ｓ2Ｎ）で、かつ送話有音の状態（Ｓ3Ｙ）であるから、受話信号ｙと擬似エコー信号ｙ’との差である誤差信号ｅは小さな値になっているから、式（4）を満足する。
【００３７】
エコー消去量が消去量基準値ｋ2以上得られている場合は（Ｓ6Ｙ）、そのエコー消去量が一定時間継続したか否かの判定を行う（Ｓ7）。エコー消去量が消去量基準値ｋ2以上得られていない場合（Ｓ6Ｎ）およびエコー消去量が一定時間継続しなかった場合は（Ｓ7Ｎ）、消去量基準値ｋ2の更新は行われず終了する。エコー消去量が一定時間継続した場合は（Ｓ7Ｙ）、現在の消去量基準値ｋ2が消去量最終値ｋ2ｅｎｄより小さいか否かを判定する（Ｓ8）。現在の消去量基準値ｋ2が消去量最終値ｋ2ｅｎｄより小さい場合は（Ｓ8Ｙ）、現在の消去量基準値ｋ2を6ｄＢ上げる。ただし、ｋ2の値を消去量最終値ｋ2ｅｎｄより小さい値にとどめる（Ｓ9）。つぎに、結合量推定値ｋ1を6ｄＢ下げる。ただし、ｋ1の値を結合量最終値ｋ1ｅｎｄより小さい値にはしないで（Ｓ10）終了する。
【００３８】
ステップ8で、消去量基準値ｋ2が消去量最終値ｋ2ｅｎｄに達している場合には（Ｓ8Ｎ）、エコー消去状態判定器35から出されるエコー消去状態判定信号55を受けて、結合量測定器36が結合量ＥＲＬを測定して結合量測定値信号56を出力する（Ｓ11）。結合量ＥＲＬは、誤差信号ｅの電力Ｐｅと送話信号ｘの電力Ｐｘで式（5）のように算出する。
ＥＲＬ＝Ｐｅ／Ｐｘ            （5）
さらに、結合量測定値信号56を結合量推定器37が受けて、結合量ＥＲＬの値にマージン−6ｄＢを加えて、式（6）のように結合量推定値ｋ1を更新して（Ｓ12）終了する。
ｋ1＝ＥＲＬ−6ｄＢ        （6）
【００３９】
ステップＳ1において、受話信号電力Ｐｙがしきい値以下でない場合は（Ｓ1Ｎ）、受話有音の状態にあるから適応計算を停止して動作を終了する（Ｓ16、図6）。ステップＳ2において、受話有音の場合には（Ｓ2Ｙ）、送話信号電力Ｐｘが所定のしきい値Ｐｔｈ3以上か否かの判定を実行する（Ｓ13、図6）。送話信号電力Ｐｘが所定のしきい値Ｐｔｈ3以上の場合は（Ｓ13Ｙ）、この送話有音が一定時間継続したか否かを調べる（Ｓ14）。送話有音が一定時間継続した場合には（Ｓ14Ｙ）、ブロッキング現象が発生している可能性があるので、結合量推定値ｋ1を6ｄＢ上げる。ただし、ｋ1の値を初期値以上の値にはしない（Ｓ15）。
【００４０】
ステップＳ15の動作が終わったとき、ステップＳ13で送話信号電力Ｐｘが所定のしきい値Ｐｔｈ3以上ではなかった場合（Ｓ13Ｎ）、およびステップＳ14で送話有音が一定時間継続しなかった場合には（Ｓ14Ｎ）、受話有音の状態にあるから適応計算を停止して、動作を終了する（Ｓ16）。
【００４１】
本実施例で使用した、各種の所定値、しきい値、継続時間、継続回数、結合量推定値ｋ1、および基準値ｋ2の変化量（実施例では6ｄＢ）、初期値および最終値などの各種パラメータは、例示したものに限定されず、通話系の状態によって最も適した値を選ぶことができることは当然のことである。
【図面の簡単な説明】
【００４２】
【図１】本願発明の実施例を示した回路構成図である。（実施例１）
【図２】図1の重要な構成要素であるエコー・キャンセラ制御部の内部の詳細を示す回路構成図である。
【図３】図2の構成要素である受話有無判定器の内部の詳細を示す回路構成図である。
【図４】図1に示した回路構成の動作の流れを表すフローチャートである。
【図５】図4とともに図1に示した回路構成の動作の流れを表すフローチャートである。
【図６】図4および図5とともに図1に示した回路構成の動作の流れを表すフローチャートである。
【図７】従来の実施例の回路構成図である。
【符号の説明】
【００４３】
1  送話路入力端子 
2  送話路出力端子
4  受話路入力端子
5  受話路出力端子
7  適応フィルタ
8  2線4線変換回路
9  減算器
18  2線回線
20，20Ｂ  エコー・キャンセラ制御部
29，29Ｂ  適応フィルタ制御信号
31，31Ｂ  適応フィルタ制御器
32  送話有無判定器
33  受話有無判定器
34  ブロッキング回避器
35  エコー消去状態判定器
36  結合量測定器
37  結合量推定器
42  誤差信号推定器
43  受話有無推定器
47  誤差推定信号
52  送話有無判定信号
53  受話有無判定信号
54  受話有音回避指示信号
55  エコー消去状態判定信号
56  結合量測定値信号
71  電力計算器
72  結合量測定器
76  電力計算値信号
78  結合量測定値信号
ｅ  誤差信号
ｅｓｔＰｅ  推定誤差信号電力
ｋ1  結合量推定値信号
ｘ  送話信号
ｙ  受話信号
ｙ’  擬似エコー信号
【図１】
2006108826.tif 000003
【図２】
2006108826.tif 000004
【図３】
2006108826.tif 000005
【図４】
2006108826.tif 000006
【図５】
2006108826.tif 000007
【図６】
2006108826.tif 000008
【図７】
2006108826.tif 000009